(57)【要約】      （修正有）【課題】光ファイバ巻き取り装置に関し、光ファイバの巻き取りドラムの外径を小さくしてリールをコンパクトにし、光ファイバの最後まで引き出されても伝送損失のない光ファイバ巻き取り装置を提供する。【解決手段】収納ケース２内に光ファイバ３を所定方向に回転するリール４に巻き取って収納し、前記リールに前記光ファイバの中間部を位置固定し、当該光ファイバ３の両端を同一方向に巻き取る巻き取り装置において、前記リール４は、回転軸５を中心に回転する所要幅の円形ドラム６と、該円形ドラムの両側に所要幅の溝８ａで離間されて設けられるフランジ７ａ，７ｂと、前記円形ドラムと前記両側のフランジとを連結しその間の前記両側の溝の底部をそれぞれ形成する円筒連結部８とで構成され、前記円形ドラム６を巻き取り方向に回転させることで前記両側の溝８ａに前記光ファイバ３を巻き取る光ファイバ巻き取り装置１とする。【選択図】図１
2008197530.tif 000002
【特許請求の範囲】
【請求項１】
収納ケース内に光ファイバを所定方向に回転するリールに巻き取って収納し、前記リールに前記光ファイバの中間部を位置固定し、当該光ファイバの両端を同一方向に巻き取る巻き取り装置において、
前記リールは、回転軸を中心に回転する所要幅の円形ドラムと、該円形ドラムの両側に所要幅の溝で離間されて設けられるフランジと、前記円形ドラムと前記両側のフランジとを連結しその間の前記両側の溝の底部をそれぞれ形成する円筒連結部とで構成され、
前記円形ドラムにおける外周面から半径方向にその円形ドラムの中心部の近傍に至り且つ当該円形ドラムの両側面に開口するスリットが設けられ、
前記スリットの底部に前記光ファイバの中間部が挿着されて係止され、そのスリットの底から前記円形ドラムの両側の溝に当該光ファイバの両端を導出させ、前記円形ドラムを巻き取り方向に回転させることで前記両側の溝に前記光ファイバを巻き取るものであること、
を特徴とする光ファイバ巻き取り装置。
【請求項２】
スリットの底部において、光ファイバが円形ドラムの溝に導出する部分が、当該光ファイバの許容曲げ半径以上の半径にした曲面にして形成されていること、
を特徴とする請求項１に記載の光ファイバ巻き取り装置。
【請求項３】
スリットの底部における、光ファイバ導出用の曲面形状の形成範囲は、当該光ファイバが最初に溝に巻き取られる際に、当該底部の開口から収納ケースの出入口に向かう光ファイバの角度の偏向範囲に亘って形成されること、
を特徴とする請求項２に記載の光ファイバ巻き取り装置。
【請求項４】
スリットにおける円形ドラムの外周面から中心部近傍に至る方向は、リールを収納する収納ケースにおける光ファイバ出入口と円形ドラムの中心点とを結ぶ直線上における前記スリットの底部から前記直線に直交させた方向であること、若しくは、前記直線に直交させた状態から更に前記中心点側に傾斜した方向であること、
を特徴とする請求項１乃至３のいずれか記載の光ファイバ巻き取り装置。
【請求項５】
円筒連結部の半径は、光ファイバの許容曲げ半径以上の半径であること、
を特徴とする請求項１乃至４のいずれかに記載の光ファイバ巻き取り装置。
【発明の詳細な説明】
【技術分野】
【０００１】
本発明は、例えば、コードの両端に光コネクタを有する光ファイバの余長部分を自動的にドラムに巻き取る光ファイバ巻き取り装置に関するものである。  
【背景技術】
【０００２】
従来、光ファイバの余長部分を収納する収納装置として、光ファイバの曲げ許容半径以上の半径を持つ第１の曲面を有し、中心軸を中心に回転可能なドラムと、前記ドラムの前記第１の曲面に設けられ前記光ファイバの曲げ許容半径以上の第２の曲面を有する引掛手段と、前記ドラムを前記中心軸を中心に一方向に回転させるように付勢する巻き取り手段とを備え、前記光ファイバを前記引掛手段の前記第２の曲面に引っ掛けた状態で前記巻き取り手段の付勢力により、前記ドラムの前記第１の曲面に巻き取ることを可能とする巻き取り装置が知られている（特許文献１参照）。  
【０００３】
【特許文献１】特開２０００−２８４１２９号公報
【発明の開示】
【発明が解決しようとする課題】
【０００４】
しかし、従来の光ファイバの巻き取り装置では、光ファイバ折り返し面が巻つけ面上に固定されているため、最後まで光ファイバを引っ張った際に、曲げ半径が前記コードの許容曲げ半径より小さくなってしまい、光損失が大きくなり伝送品質が劣化するおそれがある。また、光ファイバを巻き取るドラムに２本の光ファイバが同じ面を共有して巻き取られるので、光ファイバ同士が弛んで絡まったり、同心円状に巻き取られたコード列が崩れてしまったりするおそれがある。本発明に係る光ファイバ巻き取り装置は、このような課題を解決するために提案されたものである。
【課題を解決するための手段】
【０００５】
本発明に係る光ファイバ巻き取り装置の上記課題を解決して目的を達成するための要旨は、収納ケース内に光ファイバを所定方向に回転するリールに巻き取って収納し、前記リールに前記光ファイバの中間部を位置固定し、当該光ファイバの両端を同一方向に巻き取る巻き取り装置において、前記リールは、回転軸を中心に回転する所要幅の円形ドラムと、該円形ドラムの両側に所要幅の溝で離間されて設けられるフランジと、前記円形ドラムと前記両側のフランジとを連結しその間の前記両側の溝の底部をそれぞれ形成する円筒連結部とで構成され、前記円形ドラムにおける外周面から半径方向にその円形ドラムの中心部の近傍に至り且つ当該円形ドラムの両側面に開口するスリットが設けられ、前記スリットの底部に前記光ファイバの中間部が挿着されて係止され、そのスリットの底から前記円形ドラムの両側の溝に当該光ファイバの両端を導出させ、前記円形ドラムを巻き取り方向に回転させることで前記両側の溝に前記光ファイバを巻き取るものであることである。
【０００６】
前記スリットの底部において、光ファイバが円形ドラムの溝に導出する部分が、当該光ファイバの許容曲げ半径以上の半径にした曲面にして形成されていること、；  
前記スリットの底部における、光ファイバ導出用の曲面形状の形成範囲は、当該光ファイバが最初に溝に巻き取られる際に、当該底部の開口から収納ケースの出入口に向かう光ファイバの角度の偏向範囲に亘って形成されること、；      
前記スリットにおける円形ドラムの外周面から中心部近傍に至る方向は、リールを収納する収納ケースにおける光ファイバ出入口と円形ドラムの中心点とを結ぶ直線上における前記スリットの底部から前記直線に直交させた方向であること、若しくは、前記直線に直交させた状態から更に前記中心点側に傾斜した方向であること、；  
前記円筒連結部の半径は、光ファイバの許容曲げ半径以上の半径であること、；
を含むものである。
【発明の効果】
【０００７】
本発明の光ファイバ巻き取り装置によれば、光ファイバの余長部分は、ドラムの両側の溝に巻き付けられてコンパクトに収納され、互いに絡まる心配がない。
光ファイバが円形ドラムのスリットの底部から巻き取り用の溝に導出される部分が、当該光ファイバの許容曲げ半径以上の半径にした曲面にして形成されているので、光ファイバが最後まで引っ張り出されても、光信号の損失を抑えて伝送品質の低下が防止される。
また、前記スリットの底部における、光ファイバ導出用の曲面形状の形成範囲は、当該光ファイバが最初に溝に巻き取られる際に、当該底部の開口から収納ケースの出入口に向かう光ファイバの角度の偏向範囲に亘って形成されるので、常に光ファイバが保護され、伝送品質が良好に維持される。                           
前記スリットにおける円形ドラムの外周面から中心部近傍に至る方向は、リールを収納する収納ケースにおける光ファイバ出入口と円形ドラムの中心点とを結ぶ直線上における前記スリットの底部から前記直線に直交させた方向であること、若しくは、前記直線に直交させた状態から更に前記中心点側に傾斜した方向であるので、リールから光ファイバが最後まで引き出されても、ドラムのスリットから前記光ファイバが抜け出すことがない。
【発明を実施するための最良の形態】
【０００８】
本発明に係る光ファイバ巻き取り装置１は、図１に示すように、ハウジング２ａ，２ｂが互いに嵌合されねじ止めされてなる収納ケース２内に、光ファイバ３を所定方向に回転するリール４に巻き取って収納し、前記リール４に前記光ファイバ３の中間部３ａを位置固定し、当該光ファイバ３の両端を同一方向に巻き取る巻き取り装置である。
【０００９】
前記リール４は、収納ケース２におけるハウジング２ａの内側に一体に形成された回転用軸部５を中心に回転する所要幅で合成樹脂製の円形ドラム６と、該円形ドラム６の両側に所要幅の溝８ａで離間されて設けられるフランジ７ａ，７ｂと、前記円形ドラム６と前記両側のフランジ７ａ，７ｂとを連結しその間の前記両側の溝８ａの底部８ｂをそれぞれ形成する円筒連結部８と、巻き取り用発条（ぜんまい）バネ９とで構成される。
【００１０】
前記発条バネ９以外のリール４は、製造上で二つのメインドラム１０とサブドラム１３との圧入・嵌合による組合せで形成されているものであり、そのうちの一方のメインドラム１０は、図２（Ａ）〜同図（Ｅ）に示すように、円形ドラム６とフランジ７ａと円筒連結部８とでなる。
【００１１】
前記円形ドラム６は、円形状の本体部６ａが在り、図２（Ｂ）に示すように、その円形外周面における中央部で周方向に凹溝６ｂが形成され、当該凹溝６ｂの底部表面には、図２（Ｃ）に示すように、係合突起６ｃが複数箇所に設けられている。この係合突起６ｃに、図１（Ｄ）において示す、巻き取り方向の回転を阻止するロック装置１１のロック爪１１ａが係合するものである。
【００１２】
また、図２（Ｃ），（Ｅ）に示すように、前記本体部６ａにおける円形外周面から半径方向に、前記円形ドラム６の回転中心部の近傍に至り、且つ、当該円形ドラム６の両側面に開口するスリット６ｄが設けられている。このスリット６ｄには、光ファイバ３の中間部３ａが位置決めして挿着される。そして、当該スリット６ｄの底部において、光ファイバ３をリール４の溝８ａに導出するファイバ導出部分６ｅが、当該光ファイバ３の許容曲げ半径以上の半径（例えば、Ｒ５．１５ｍｍ）にした曲面にして形成されている。
【００１３】
前記ファイバ導出部分６ｅの曲面形状の形成範囲αは、図２（Ａ）に示すように、当該光ファイバ３が最初に溝８ａにおいて巻き取られる際に、当該溝８ａの底部の開口８ｃから収納ケース２の出入口２ｃ（図１（Ａ）参照）に向かう光ファイバ３の角度の偏向範囲に亘って形成される。円形ドラム６のスリット６ｄに挿着されてこの円形ドラム６を跨ぐようになっている光ファイバ３の中間部３ａは、図３に示すように、このスリット６ｄの底部において、前記曲面形状の形成範囲αの範囲内で、矢印方向に円形ドラム６が回転して巻き取られる際に、ファイバ軸心の回りに自由に回転できるものである。これによって、光ファイバ３の光伝送品質が良好に維持される。
【００１４】
前記スリット６ｄにおける円形ドラム６の外周面から中心部近傍に至る方向は、図２（Ｃ）及び図３に示すように、リール４を収納する収納ケース２における光ファイバ出入口２ｃと円形ドラム６の中心点６ｆとを結ぶ直線１２上における、前記スリット６ｄの底部から前記直線１２に直交させた方向βであること、若しくは、前記直線１２に直交させた状態から更に前記中心点６ｆ側に傾斜した方向である。このようにすることで、光ファイバ３が最後まで収納ケース２から引っ張りだされても、力方向の関係により、前記メインドラム１０のスリット６ｄから光ファイバ３の中間部３ａが自然に抜け出すことがない。
【００１５】
このほか、前記メインドラム１０には、円筒連結部８を介してフランジ７ａが一体に形成されている。このメインドラム１０の側壁面と、フランジ７ｂの内壁面と、円筒連結部８の外周面で形成される溝８ａに、光ファイバ３が同心円状に巻き取られることになる。また、メインドラム１０における円形ドラム６の中央部には、発条バネ９を収納する中央空間部６ｇがあり、その発条バネ９の一端部を係止する係止突起６ｈがあり、回転用軸部５を貫通させる軸受け部６ｊがある。
【００１６】
他方のサブドラム１３は、図４に示すように、フランジ７ｂと、嵌合突起部１３ａと、軸受け孔部１３ｂと、光ファイバ用仕切り板１３ｃと、係止突起１０ｈ用の押さえ蓋１３ｄとが、それぞれ設けられている。前記係合突起１３ａの一部が、前記フランジ７ｂと円形ドラム６とを連結する円筒連結部８となる。この円筒連結部８、及び前記メインドラム１０側の円筒連結部８も、これに光ファイバ３が巻き付くので、その半径が、光ファイバ３の許容曲げ半径以上の半径であるのはもちろんである。
【００１７】
前記メインドラム１０とサブドラム１３とを嵌合させた状態が、図５に示す状態である。これに、発条バネ９と、中央部３ａに位置決め用のリング３ｄを取着した光ファイバ３とを、それぞれ所望の箇所に取り付けた状態が、図６（Ａ）〜（Ｄ）に示す状態であって、リール４となる。このリール４を、ハウジング２ａの回転軸部５に円形ドラム６の軸受け部６ｊ，軸受け孔部１３ｂを嵌装させ、ハウジング２ａにロック装置１１を装着し、更に、ハウジング２ｂを蓋のように被せてねじ止めすることで、光ファイバ巻き取り装置１が出来上がる。
【００１８】
このようにして、光ファイバ巻き取り装置１は、メインドラム１０における円形ドラム６に設けたスリットの底部に、前記光ファイバの中間部が挿着されて係止され、そのスリットの底から前記円形ドラム６の両側の溝８ａに当該光ファイバ３の両端を導出させ、前記円形ドラム６を巻き取り方向に回転させることで前記両側の溝８ａに前記光ファイバ３を巻き取るものである。
【００１９】
このようにして構成される、本発明に係る光ファイバ巻き取り装置１によれば、リール４において円形ドラム６の両側に形成されている溝８ａに、それぞれ、全長の半分の長さにされた光ファイバ３が巻き取られていて、ファイバの全長を１箇所のドラムで巻き取る場合のドラム外径より、メインドラム１０の外径が大きく成らずに済む。使用に際しては、光コネクタ３ｂ，３ｃを光ファイバ巻き取り装置１から引き出し、発条バネ９の弾発力に抗してメインドラム１０を、図１（Ｄ）において反時計方向に回転させる。ロック装置１１のロック爪１１ａは、係合突起６ｃを滑らかに乗り上げるのみで、係止させることはない。
【００２０】
所望の長さまで上記光ファイバ３を引き出した後は、前記発条バネ９の弾発作用により、メインドラム１０が図１（Ｄ）において、時計方向に回転させる。その回転途中で、前記ロック装置１１のロック爪１１ａが係合突起６ｃに衝突して係止し、メインドラム１０の回転を止める。そして、光ファイバ３の巻き取りを続行させたい場合に、手の指先でロック装置１１のボタン１１ｂを押し下げる。これにより、ロック爪１１ａが係合突起６ｃから外れて、係止作用が無くなり、円形ドラム６の両側の溝８ａにそれぞれ、光ファイバ３が巻き取られる。
【００２１】
前記ロック装置１１は、メインドラム１０における円形ドラム６の中央に設けられる凹溝６ｂにおいてロック作用するので、回転するドラムの軸心方向における中央部分なので、円形ドラム６が傾くこともなくバランス良くロック作用する。また、光ファイバ３を巻き取る溝８ａは、光ファイバ３の線径よりもやや広い程度の幅なので、同心円形状に巻き取られた光ファイバ３が、緩んで崩れたりすることはない。よって、光ファイバ３の巻き取り作用、及び、引き出し作用が常にスムーズである。
【図面の簡単な説明】
【００２２】
【図１】本発明に係る光ファイバ巻き取り装置１の、ハウジング２ｂを撤去した状態の正面図（Ａ），左右側面図（Ｂ），（Ｃ），ハウジング２ｂを取り去りリール４を半断面にして示す正面図（Ｄ），一部を破断して示す平面図（Ｅ）である。
【図２】同本発明の光ファイバ巻き取り装置１におけるメインドラム１０の正面図（Ａ），平面図（Ｂ），Ａ−Ａ線に沿った断面図（Ｃ），Ｂ−Ｂ線に沿った断面図（Ｄ），底面図（Ｅ）である。
【図３】円形ドラム６に設けられるスリット６ｄの設ける方向を説明する説明図である。
【図４】同光ファイバ巻き取り装置１におけるサブドラム１３の、正面図（Ａ），縦断面図（Ｂ），底面図（Ｃ）である。
【図５】メインドラム１０とサブドラム１３とを嵌合させた状態の正面図（Ａ），斜め上から見た斜視図（Ｂ），同斜め下から見た斜視図（Ｃ），縦断面図（Ｄ），Ｃ−Ｃ線に沿った断面図（Ｅ）である。
【図６】同光ファイバ巻き取り装置１におけるリール４の正面図（Ａ），縦断面図（Ｂ），Ｄ−Ｄ線に沿った断面図（Ｃ），光ファイバ３の正面図（Ｄ）である。
【符号の説明】
【００２３】
１            光ファイバ巻き取り装置、
２            収納ケース、
２ａ，２ｂ    ハウジング
３            光ファイバ、
３ａ          中間部、
３ｂ，３ｃ    光コネクタ、                      ３ｄ        リング、
４            リール、
５            回転用軸部、
６            円形ドラム、                      ６ａ        本体部、
６ｂ          凹溝、                            ６ｃ        係合突起、
６ｄ          スリット、                        ６ｅ        ファイバ導出部分、
６ｆ          中心点、                          ６ｇ        空間部、
６ｈ          係止突起、                        ６ｊ        軸受け部、
７ａ，７ｂ    フランジ、
８            円筒連結部、                      ８ａ        溝、
８ｂ          底部、                            ８ｃ        開口、
９            発条バネ、
１０          メインドラム、
１１          ロック装置、                      １１ａ        ロック爪、
１２          直線。
【図１】
2008197530.tif 000003
【図２】
2008197530.tif 000004
【図３】
2008197530.tif 000005
【図４】
2008197530.tif 000006
【図５】
2008197530.tif 000007
【図６】
2008197530.tif 000008